(57)【要約】【課題】複数の感光ドラムからの廃トナーを廃トナーボックスに収容できながら、ドロワの円滑な移動を確保できる画像形成装置を提供すること。【解決手段】画像形成装置１は、ドロワ３と、複数のカートリッジ４Ｋ、４Ｙ、４Ｍ、４Ｃと、廃トナーボックス５とを備える。ドロワ３は、装置本体２内に位置する内側位置と、装置本体２外に位置する外側位置との間を移動可能である。カートリッジ４Ｍは、感光ドラム４０から除去された廃トナーを排出する排出部４１を備える。廃トナーボックス５は、カートリッジ４Ｍの排出部４１と連結可能な連結部５０Ｍを備える。廃トナーボックス５は、ドロワ３が内側位置に位置する状態において、連結部５０Ｍと排出部４１とが連結する第１位置と、連結部５０Ｍと排出部４１との連結が解除される第２位置との間を移動可能である。【選択図】図９
2020008726.tif 000002
【特許請求の範囲】
【請求項１】
開口を有する装置本体と、
前記開口を介して、前記装置本体内に位置する内側位置と、前記装置本体外に位置する外側位置との間を移動可能なドロワと、
前記ドロワに支持される第１カートリッジであって、第１感光ドラムと、前記第１感光ドラムから除去された廃トナーを排出する第１排出部とを備える第１カートリッジと、
前記ドロワに支持される第２カートリッジであって、第２感光ドラムと、前記第２感光ドラムから除去された廃トナーを排出する第２排出部とを備える第２カートリッジと、
前記第１排出部と連結可能な第１連結部と、前記第２排出部と連結可能な第２連結部とを備える廃トナーボックスであって、前記第１カートリッジおよび前記第２カートリッジが前記内側位置に位置する前記ドロワに支持され、前記廃トナーボックスが前記装置本体に装着された状態において、前記第１連結部と前記第１排出部とが連結するとともに、前記第２連結部と前記第２排出部とが連結する第１位置と、前記第１連結部と前記第１排出部との連結が解除されるとともに、前記第２連結部と前記第２排出部との連結が解除される第２位置との間を移動可能な廃トナーボックスと、を備えることを特徴とする、画像形成装置。
【請求項２】
前記廃トナーボックスは、前記第１位置と前記第２位置との間を回動可能であることを特徴とする、請求項１に記載の画像形成装置。
【請求項３】
前記廃トナーボックスは、前記装置本体に装着された状態において、前記第１位置と、前記第２位置と、前記第１連結部と前記第１排出部との間の距離が前記第２位置に位置する状態よりも大きく、前記廃トナーボックスが前記装置本体から離脱可能な第３位置との間を移動可能であることを特徴とする、請求項１または請求項２に記載の画像形成装置。
【請求項４】
前記廃トナーボックスは、前記第１位置と、前記第２位置と、前記第３位置との間を回動可能であることを特徴とする、請求項３に記載の画像形成装置。
【請求項５】
前記装置本体は、前記第１カートリッジおよび前記第２カートリッジと前記第１位置に位置する前記廃トナーボックスとの間に位置する第１壁と、回動軸とを有し、
前記廃トナーボックスは、前記回動軸を中心として回動し、
前記回動軸は、前記第１壁に支持されることを特徴とする、請求項２または請求項４に記載の画像形成装置。
【請求項６】
前記装置本体は、前記第１位置に位置する前記廃トナーボックスに対して、前記第１カートリッジの反対側に位置する第２壁を有し、
前記第２壁は、前記廃トナーボックスの移動に応じて移動可能な可動壁を有することを特徴とする、請求項１〜請求項５のいずれか一項に記載の画像形成装置。
【請求項７】
前記廃トナーボックスを前記第１位置から前記第２位置に向かって押圧するばねを備えることを特徴とする、請求項１〜請求項６のいずれか一項に記載の画像形成装置。
【請求項８】
前記ばねは、前記廃トナーボックスが前記第１位置に位置する状態において、前記第１連結部と、前記回動軸との間に位置することを特徴とする、請求項７に記載の画像形成装置。
【請求項９】
前記開口を閉鎖する閉鎖位置と、前記開口を開放する開放位置との間を移動可能なカバーと、
前記カバーの移動と、前記廃トナーボックスに対する前記ばねの押圧および押圧解除とをリンクさせる第１リンク部材と、を備え、
前記第１リンク部材は、
前記カバーが前記閉鎖位置にある状態において、前記廃トナーボックスに対する前記ばねの押圧を規制し、
前記カバーが前記閉鎖位置から前記開放位置に移動するときに、前記廃トナーボックスに対する前記ばねの押圧を許容することを特徴とする、請求項７または請求項８に記載の画像形成装置。
【請求項１０】
前記ドロワが前記内側位置にある状態において、前記第１感光ドラムおよび前記第２感光ドラムと向かい合うベルトユニットと、
前記内側位置にある状態において、前記第１感光ドラムおよび前記第２感光ドラムが前記ベルトユニットと接触する接触位置と、前記第１感光ドラムおよび前記第２感光ドラムが前記ベルトユニットから離間する離間位置との間を移動可能な前記ドロワと、
前記カバーの移動と、前記ドロワの移動とをリンクさせる第２リンク部材と、を備え、
前記第２リンク部材は、
前記カバーが前記閉鎖位置にある状態において、前記ドロワを前記接触位置に位置させ、
前記カバーが前記閉鎖位置から前記開放位置に移動するときに、前記ドロワを前記接触位置から前記離間位置に移動させることを特徴とする、請求項９に記載の画像形成装置。
【請求項１１】
前記第１リンク部材と前記第２リンク部材とは、前記カバーが前記閉鎖位置から前記開放位置に移動したときに、まず、前記第１リンク部材が前記廃トナーボックスに対する前記ばねの押圧を許容した後、前記第２リンク部材が前記ドロワを前記接触位置から前記離間位置に移動させるように、連結されることを特徴とする、請求項１０に記載の画像形成装置。
【請求項１２】
前記第１排出部は、廃トナーが通過する排出口を有する排出壁を有し、
前記第１連結部は、前記廃トナーボックスが前記第１位置に位置する状態において前記排出壁と向かい合う受入壁であって、前記排出口からの廃トナーを受け入れる受入口を有する受入壁を有することを特徴とする、請求項１〜請求項１０のいずれか一項に記載の画像形成装置。
【請求項１３】
前記廃トナーボックスが前記第１位置に位置する状態において、前記排出壁と前記受入壁との間に、前記排出口および前記受入口のそれぞれと連通する連通口を有する弾性部材が配置されることを特徴とする、請求項１２に記載の画像形成装置。
【請求項１４】
前記受入壁は、
前記廃トナーボックスが前記第１位置に位置する状態において、前記廃トナーボックスから前記第１カートリッジに向かう方向において、第１端部と、前記第１端部に対して前記第１カートリッジの反対側に位置する第２端部とを有し、
前記廃トナーボックスが前記第１位置に位置する状態において、前記第２端部から前記第１端部に向かうにつれて、前記排出壁から離れるように傾斜していることを特徴とする、請求項１２または請求項１３に記載の画像形成装置。
【請求項１５】
前記第１カートリッジにトナーを供給するための第１トナーボックスをさらに備え、
前記第１カートリッジは、前記第１トナーボックスからトナーを受け入れる受入部をさらに備え、
前記第１トナーボックスは、前記受入部にトナーを供給可能な供給部であって、前記受入部と連結可能な供給部を備え、前記装置本体に装着された状態において、前記供給部と前記受入部とが連結する連結位置と、前記供給部と前記受入部との連結が解除される連結解除位置との間を移動可能であることを特徴とする、請求項１〜１４のいずれか一項に記載の画像形成装置。
【請求項１６】
前記第１トナーボックスは、前記連結位置と前記連結解除位置との間を回動可能であることを特徴とする、請求項１５に記載の画像形成装置。
【請求項１７】
前記第１トナーボックスは、トナーを収容する筐体を備え、
前記筐体は、
前記筐体の内部空間を第１収容室と第２収容室とに仕切る仕切壁と、
前記仕切壁に配置され、前記第１収容室と前記第２収容室とを連通する連通口と、を有し、
前記供給部は、前記第２収容室と連通していることを特徴とする、請求項１５または請求項１６に記載の画像形成装置。
【請求項１８】
前記第１カートリッジは、
現像ローラを備える現像ユニットであって、前記現像ローラが前記第１感光ドラムに対して向かい合うように配置される現像ユニットと、
前記第１感光ドラムを回転可能に支持するとともに、前記現像ユニットを揺動可能に支持するフレームと、
前記現像ユニットと前記フレームとの間に配置される弾性部材とを備えることを特徴とする、請求項１〜請求項１７のいずれか一項に記載の画像形成装置。
【請求項１９】
前記廃トナーボックスは、前記第１位置に位置する状態において、前記第１感光ドラムの回転軸線が延びる軸線方向において、前記第１カートリッジおよび前記第２カートリッジと並ぶように配置されている、ことを特徴とする、請求項１〜請求項１８のいずれか一項に記載の画像形成装置。
【発明の詳細な説明】
【技術分野】
【０００１】
本発明は、画像形成装置に関する。
【背景技術】
【０００２】
従来、画像形成装置は、装置本体と、装置本体内に位置する内側位置と、装置本体外に位置する外側位置との間を移動可能なドロワと、ドロワに支持される複数のカートリッジと、廃トナーボックスとを備える。複数のカートリッジのそれぞれは、感光ドラムと、感光ドラムから廃トナーを除去するドラムクリーニングユニットとを備える。ドロワは、廃トナーを、複数のドラムクリーニングユニットから集約して、廃トナーボックスに搬送する集約搬送ユニットを備える（下記特許文献１参照）。
【先行技術文献】
【特許文献】
【０００３】
【特許文献１】特開２０１５−１０２７２２号公報
【発明の概要】
【発明が解決しようとする課題】
【０００４】
特許文献１に記載されるような画像形成装置では、集約搬送ユニットが、ドロワの移動の邪魔になる場合がある。
【０００５】
そこで、本開示の目的は、複数の感光ドラムからの廃トナーを廃トナーボックスに収容できながら、ドロワの円滑な移動を確保できる画像形成装置を提供することにある。
【課題を解決するための手段】
【０００６】
（１）本発明の画像形成装置は、開口を有する装置本体と、ドロワと、ドロワに支持される第１カートリッジと、ドロワに支持される第２カートリッジと、廃トナーボックスとを備える。
【０００７】
ドロワは、開口を介して、装置本体内に位置する内側位置と、装置本体外に位置する外側位置との間を移動可能である。
【０００８】
第１カートリッジは、第１感光ドラムと、第１感光ドラムから除去された廃トナーを排出する第１排出部とを備える。第２カートリッジは、第２感光ドラムと、第２感光ドラムから除去された廃トナーを排出する第２排出部とを備える。
【０００９】
廃トナーボックスは、第１排出部と連結可能な第１連結部と、第２排出部と連結可能な第２連結部とを備える。
【００１０】
廃トナーボックスは、第１カートリッジおよび第２カートリッジが内側位置に位置するドロワに支持され、装置本体に装着された状態において、第１連結部と第１排出部とが連結するとともに、第２連結部と第２排出部とが連結する第１位置と、第１連結部と第１排出部との連結が解除されるとともに、第２連結部と第２排出部との連結が解除される第２位置との間を移動可能である。
【００１１】
このような構成によれば、廃トナーボックスが第１位置にある状態において、第１連結部は、第１排出部から廃トナーを受け入れることができるとともに、第２連結部は、第２排出部から廃トナーを受け入れることができる。
【００１２】
そのため、ドロワが、廃トナーを第１排出部および第２排出部から集約して廃トナーボックスに搬送する部材を備えなくても、第１感光ドラムおよび第２感光ドラムからの廃トナーを、廃トナーボックスに収容できる。また、廃トナーボックスが第２位置にある状態において、第１連結部と第１排出部との連結が解除されるとともに、第２連結部と第２排出部との連結が解除される。その結果、第１感光ドラムおよび第２感光ドラムからの廃トナーを廃トナーボックスに収容できながら、ドロワの円滑な移動を確保できる。
【００１３】
（２）廃トナーボックスは、第１位置と第２位置との間を回動可能であってもよい。
【００１４】
（３）廃トナーボックスは、装置本体に装着された状態において、第１位置と、第２位置と、第１連結部と第１排出部との間の距離が第２位置に位置する状態よりも大きく、廃トナーボックスが装置本体から離脱可能な第３位置との間を移動可能であってもよい。
【００１５】
（４）廃トナーボックスは、第１位置と、第２位置と、第３位置との間を回動可能であってもよい。
【００１６】
（５）装置本体は、第１カートリッジおよび第２カートリッジと第１位置に位置する廃トナーボックスとの間に位置する第１壁と、回動軸とを有してもよい。廃トナーボックスは、回動軸を中心として回動してもよい。回動軸は、第１壁に支持されてもよい。
【００１７】
（６）装置本体は、第１位置に位置する廃トナーボックスに対して、第１カートリッジの反対側に位置する第２壁を有してもよい。第２壁は、廃トナーボックスの移動に応じて移動可能な可動壁を有してもよい。
【００１８】
（７）画像形成装置は、廃トナーボックスを第１位置から第２位置に向かって押圧するばねを備えてもよい。
【００１９】
（８）ばねは、廃トナーボックスが第１位置に位置する状態において、第１連結部と、回動軸との間に位置してもよい。
【００２０】
（９）画像形成装置は、カバーと、第１リンク部材とを備えてもよい。この場合、カバーは、開口を閉鎖する閉鎖位置と、開口を開放する開放位置との間を移動可能である。第１リンク部材は、カバーの移動と、廃トナーボックスに対するばねの押圧および押圧解除とをリンクさせる。第１リンク部材は、カバーが閉鎖位置にある状態において、廃トナーボックスに対するばねの押圧を規制し、カバーが閉鎖位置から開放位置に移動するときに、廃トナーボックスに対するばねの押圧を許容する。
【００２１】
（１０）画像形成装置は、ベルトユニットと、第２リンク部材とを備えてもよい。ベルトユニットは、ドロワが内側位置にある状態において、第１感光ドラムおよび第２感光ドラムと向かい合ってもよい。ドロワは、内側位置にある状態において、第１感光ドラムおよび第２感光ドラムがベルトユニットと接触する接触位置と、第１感光ドラムおよび第２感光ドラムがベルトユニットから離間する離間位置との間を移動可能であってもよい。第２リンク部材は、カバーの移動と、ドロワの移動とをリンクさせてもよい。この場合、第２リンク部材は、カバーが閉鎖位置にある状態において、ドロワを接触位置に位置させ、カバーが閉鎖位置から開放位置に移動するときに、ドロワを接触位置から離間位置に移動させる。
【００２２】
（１１）第１リンク部材と第２リンク部材とは、カバーが閉鎖位置から開放位置に移動したときに、まず、第１リンク部材が廃トナーボックスに対するばねの押圧を許容した後、第２リンク部材がドロワを接触位置から離間位置に移動させるように、連結されてもよい。
【００２３】
（１２）第１排出部は、廃トナーが通過する排出口を有する排出壁を有してもよい。第１連結部は、排出口からの廃トナーを受け入れる受入口を有する受入壁を有してもよい。受入壁は、廃トナーボックスが第１位置に位置する状態において排出壁と向かい合ってもよい。
【００２４】
（１３）廃トナーボックスが第１位置に位置する状態において、排出壁と受入壁との間に、弾性部材が配置されてもよい。弾性部材は、排出口および受入口のそれぞれと連通する連通口を有してもよい。
【００２５】
（１４）受入壁は、廃トナーボックスが第１位置に位置する状態において、廃トナーボックスから第１カートリッジに向かう方向において、第１端部と、第２端部とを有してもよい。第２端部は、第１端部に対して第１カートリッジの反対側に位置してもよい。受入壁は、廃トナーボックスが第１位置に位置する状態において、第２端部から第１端部に向かうにつれて、排出壁から離れるように傾斜していてもよい。
【００２６】
（１５）画像形成装置は、第１カートリッジにトナーを供給するための第１トナーボックスを備えてもよい。第１カートリッジは、第１トナーボックスからトナーを受け入れる受入部を備えてもよい。第１トナーボックスは、受入部にトナーを供給可能な供給部であって、受入部と連結可能な供給部を備えてもよい。第１トナーボックスは、装置本体に支持された状態において、供給部と受入部とが連結する連結位置と、供給部と受入部との連結が解除される連結解除位置との間を移動可能であってもよい。
【００２７】
（１６）第１トナーボックスは、連結位置と連結解除位置との間を回動可能であってもよい。
【００２８】
（１７）第１トナーボックスは、トナーを収容する筐体を備えてもよい。筐体は、仕切壁と、連通口とを有してもよい。この場合、仕切壁は、筐体の内部空間を第１収容室と第２収容室とに仕切る。連通口は、仕切壁に配置され、第１収容室と第２収容室とを連通する。供給部は、第２収容室と連通してもよい。
【００２９】
（１８）第１トナーボックスは、現像ローラを備える現像ユニットと、フレームと、弾性部材とを備えてもよい。現像ユニットは、現像ローラが第１感光ドラムに対して向かい合うように配置されてもよい。フレームは、第１感光ドラムを回転可能に支持するとともに、現像ユニットを揺動可能に支持してもよい。弾性部材は、軸線方向において、現像ユニットとフレームとの間に配置されてもよい。
【００３０】
（１９）廃トナーボックスは、第１位置に位置する状態において、第１感光ドラムの回転軸線が延びる軸線方向において、第１カートリッジおよび第２カートリッジと並ぶように配置されていてもよい。
【発明の効果】
【００３１】
本発明の画像形成装置によれば、複数の感光ドラムからの廃トナーを廃トナーボックスに収容できながら、ドロワの円滑な移動を確保できる。
【図面の簡単な説明】
【００３２】
【図１】図１は、画像形成装置の概略構成図である。
【図２】図２は、図１に示すドロワが外側位置に位置する状態を示す。
【図３】図３は、図１に示す画像形成装置のＡ−Ａ断面図におけるカートリッジを示す。
【図４】図４Ａは、図３に示すカートリッジのＢ−Ｂ断面図である。図４Ｂは、図３に示すカートリッジのＣ−Ｃ断面図である。
【図５】図５は、図１に示す画像形成装置のＡ−Ａ断面図を示す。
【図６】図６は、図５に示す廃トナーボックスの斜視図である。
【図７】図７は、図５に示す画像形成装置のＤ−Ｄ断面図である。
【図８】図８は、図５に示す画像形成装置の拡大図であって、廃トナーボックスが第１位置に位置し、トナーボックスが連結位置に位置する状態を示す。
【図９】図９は、図８に示す廃トナーボックスが第２位置に位置し、トナーボックスが連結解除位置に位置する状態を示す。
【図１０】図１０Ａは、図９に示す廃トナーボックスが第３位置に位置し、トナーボックスが連結位置に位置する状態を示す。図１０Ｂは、図９に示す廃トナーボックスが第１位置に位置し、トナーボックスが離脱可能位置に位置する状態を示す。
【図１１】図１１Ａは、図８に示すトナーボックスの第１の概略構成図である。図１１Ｂは、図８に示すトナーボックスの第２の概略構成図である。
【図１２】図１２は、図７に示す画像形成装置であって、カバーが開放位置に位置する状態を示す。
【図１３】図１３は、図７に示す第１リンク部材の斜視図を示す。
【図１４】図１４は、図７に示す第１リンク部材および第２リンク部材の斜視図を示す。
【発明を実施するための形態】
【００３３】
１．画像形成装置１の概略
図１を参照して、画像形成装置１の概略について説明する。
【００３４】
画像形成装置１は、装置本体２と、給紙部１０と、ドロワ３と、複数のカートリッジ４Ｋ、４Ｙ、４Ｍ、４Ｃと、露光器１１と、ベルトユニット６と、二次転写ローラ１４と、定着器１２と、両面印刷パス１３とを備える。
【００３５】
１．１  装置本体
装置本体２は、給紙部１０と、ドロワ３と、複数のカートリッジ４Ｋ、４Ｙ、４Ｍ、４Ｃと、露光器１１と、ベルトユニット６と、二次転写ローラ１４と、定着器１２と、両面印刷パス１３とを収容する。装置本体２は、開口２Ａと、カバー２Ｂとを有する。
【００３６】
開口２Ａは、ドロワ３が装置本体２に装着された状態で、複数のカートリッジ４Ｋ、４Ｙ、４Ｍ、４Ｃに対して、定着器１２の反対側に位置する。
【００３７】
カバー２Ｂは、開口２Ａを閉鎖する閉鎖位置（図１参照）と、開口２Ａを開放する開放位置（図２参照）との間を移動可能である。
【００３８】
１．２  給紙部
給紙部１０は、二次転写ローラ１４に印刷媒体を供給する。印刷媒体は、例えば、印刷用紙である。給紙部１０は、給紙トレイ１５と、ピックアップローラ１６と、給紙ローラ１７とを備える。給紙トレイ１５は、印刷媒体を収容する。ピックアップローラ１６は、給紙トレイ１５内の印刷媒体を給紙ローラ１７に向かって搬送する。給紙ローラ１７は、ピックアップローラ１６からの印刷媒体を二次転写ローラ１４に向かって搬送する。
【００３９】
１．３  ドロワ
ドロワ３は、カバー２Ｂが開放位置に位置する状態（図２参照）で、開口２Ａを介して、装置本体２内に位置する内側位置（図１参照）と、装置本体２外に位置する外側位置（図２参照）との間を移動可能である。ドロワ３は、複数のカートリッジ４Ｋ、４Ｙ、４Ｍ、４Ｃを支持する。ドロワ３は、複数のカートリッジ４Ｋ、４Ｙ、４Ｍ、４Ｃを支持した状態で、内側位置と外側位置との間を後述する並び方向に移動可能である。なお、内側位置とは、ドロワ３が装置本体２内に収容され、ドロワ３に対して複数のカートリッジ４Ｋ、４Ｙ、４Ｍ、４Ｃを着脱できない位置である。外側位置とは、ドロワ３の少なくとも一部が装置本体２外に位置し、ドロワ３に対して複数のカートリッジ４Ｋ、４Ｙ、４Ｍ、４Ｃのうち少なくとも１つを着脱できる位置である。そのため、ドロワ３の一部が装置本体２内に位置していても、ドロワ３に対して複数のカートリッジ４Ｋ、４Ｙ、４Ｍ、４Ｃのうち少なくとも１つを着脱できれば、そのドロワ３の位置は、外側位置に含まれる。
【００４０】
１．４  カートリッジ
複数のカートリッジ４Ｋ、４Ｙ、４Ｍ、４Ｃは、ドロワ３に支持される。複数のカートリッジ４Ｋ、４Ｙ、４Ｍ、４Ｃは、互いに間隔を隔てて並ぶ。複数のカートリッジ４Ｋ、４Ｙ、４Ｍ、４Ｃが並ぶ方向を、並び方向と定義する。並び方向は、軸線方向と交差する。好ましくは、並び方向は、軸線方向と直交する。軸線方向については、後述する。複数のカートリッジ４Ｋ、４Ｙ、４Ｍ、４Ｃのそれぞれは、感光ドラム４０と、帯電ローラ４８と、現像ユニット４４とを備える。
【００４１】
感光ドラム４０は、回転軸線Ａについて回転可能である。感光ドラム４０の回転軸線Ａが延びる方向を軸線方向と定義する。軸線方向は、上下方向および並び方向の両方向と交差する。好ましくは、軸線方向は、上下方向および並び方向の両方向と直交する。感光ドラム４０は、軸線方向に延び、円筒形状を有する。
【００４２】
帯電ローラ４８は、感光ドラム４０の周面を帯電させる。帯電ローラ４８は、感光ドラム４０の周面に接触する。なお、帯電ローラ４８は、スコロトロン型帯電器などの非接触の帯電器に代えてもよい。
【００４３】
現像ユニット４４は、現像ローラ４５を備える。現像ユニット４４は、現像ローラ４５が感光ドラム４０に対して向かい合うように配置される。現像ローラ４５は、現像ユニット４４内のトナーを感光ドラム４０に供給する。現像ローラ４５は、感光ドラム４０に接触する。これにより、現像ローラ４５は、感光ドラム４０に形成された潜像をトナーで現像して、感光ドラム４０の周面にトナー像を形成する。
【００４４】
１．５  露光器
露光器１１は、感光ドラム４０を露光して潜像を形成する。露光器１１は、帯電ローラ４８によって帯電された感光ドラム４０の周面を露光する。これにより、感光ドラム４０の周面に、潜像が形成される。露光器１１は、ドロワ３が内側位置に位置する状態において、ドロワ３の上方に位置する。露光器１１は、具体的には、レーザースキャンユニットである。
【００４５】
１．６  ベルトユニット
ベルトユニット６は、ドロワ３が内側位置にある状態において、複数のカートリッジ４Ｋ、４Ｙ、４Ｍ、４Ｃの感光ドラム４０と向かい合う。ベルトユニット６は、ドロワ３が内側位置に位置する状態で、ドロワ３と給紙トレイ１５との間に位置する。ベルトユニット６は、第１ローラ６０と、第２ローラ６１と、中間転写ベルト６２と、複数の一次転写ローラ６３Ｋ、６３Ｙ、６３Ｍ、６３Ｃと、ベルトクリーナ６４とを備える。
【００４６】
第１ローラ６０は、軸線方向に延びる回転軸線について回転可能である。第２ローラ６１は、第１ローラ６０に対して並び方向に間隔を空けて位置する。第２ローラ６１は、並び方向において、第１ローラ６０に対して、定着器１２の反対側に位置する。第２ローラ６１は、軸線方向に延びる回転軸線について回転可能である。
【００４７】
中間転写ベルト６２は、第１ローラ６０と第２ローラ６１とによって支持される。中間転写ベルト６２は、エンドレスベルトである。中間転写ベルト６２は、第１ローラ６０および第２ローラ６１の周りに巻き付けられる。中間転写ベルト６２は、第１ローラ６０および第２ローラ６１の周りを移動可能である。中間転写ベルト６２は、ドロワ３が内側位置に位置する状態において、感光ドラム４０と接触する。
【００４８】
複数の一次転写ローラ６３Ｋ、６３Ｙ、６３Ｍ、６３Ｃのそれぞれは、感光ドラム４０から中間転写ベルト６２へトナー像を転写する。複数の一次転写ローラ６３Ｋ、６３Ｙ、６３Ｍ、６３Ｃは、第１ローラ６０と第２ローラ６１との間に位置する。複数の一次転写ローラ６３Ｋ、６３Ｙ、６３Ｍ、６３Ｃは、並び方向に並ぶ。複数の一次転写ローラ６３Ｋ、６３Ｙ、６３Ｍ、６３Ｃのそれぞれは、同じ構造を有する。複数の一次転写ローラ６３Ｋ、６３Ｙ、６３Ｍ、６３Ｃのそれぞれは、中間転写ベルト６２に対して、感光ドラム４０の反対側に位置する。
【００４９】
ベルトクリーナ６４は、中間転写ベルト６２をクリーニングして、中間転写ベルト６２の周面から廃トナーを取り除く。ベルトクリーナ６４は、第１ローラ６０と定着器１２との間に位置する。ベルトクリーナ６４は、中間転写ベルト６２に対して第１ローラ６０の反対側に位置する。
【００５０】
１．７  二次転写ローラ
二次転写ローラ１４は、トナー像を中間転写ベルト６２から印刷媒体に転写する。二次転写ローラ１４は、中間転写ベルト６２に対して、第１ローラ６０の反対側に位置する。中間転写ベルト６２は、移動したときに、二次転写ローラ１４と第１ローラ６０との間を通過する。二次転写ローラ１４は、二次転写ユニット１８に設けられる。
【００５１】
二次転写ユニット１８は、ベルトユニット６と給紙トレイ１５との間に位置する。二次転写ユニット１８は、装置本体２が備える開口２Ｃを介して、装置本体２から取り外し可能である（図２参照）。開口２Ｃは、ドロワ３が内側位置に位置する状態において、ドロワ３に対して、開口２Ａの反対側に位置する。
【００５２】
１．８  定着器
定着器１２は、トナー像が転写された印刷媒体を加熱および加圧して、印刷媒体にトナー像を定着させる。定着器１２を通過した印刷媒体は、装置本体２の上面に排紙される。
【００５３】
１．９  両面印刷パス
両面印刷パス１３は、定着器１２を通過した印刷媒体を再度、二次転写ローラ１４に向かうように搬送する。両面印刷パス１３は、第１パス１３Ａと、第２パス１３Ｂと、第３パス１３Ｃとを備える。
【００５４】
第１パス１３Ａは、ドロワ３が内側位置に位置する状態で、並び方向において、定着器１２に対してドロワ３の反対側に位置する。第１パス１３Ａは、上下方向に延びる。
【００５５】
第２パス１３Ｂは、両面印刷パス１３における第１パス１３Ａと第３パス１３Ｃとの間の部分である。第２パス１３Ｂは、給紙トレイ１５に対して下方に位置する。第２パス１３Ｂは、並び方向に延びる。第２パス１３Ｂは、並び方向において一端と他端とを有する。第２パス１３Ｂの一端は、第３パス１３Ｃの下端と連続する。第２パス１３Ｂの他端は、第１パス１３Ａの下端と連続する。
【００５６】
第３パス１３Ｃは、並び方向において、給紙ローラ１７に対して第１パス１３Ａの反対側に位置する。第３パス１３Ｃは、上下方向に延びる。第３パス１３Ｃは、給紙トレイ１５に支持される。
【００５７】
２．カートリッジの詳細
次に、図３、図４Ａおよび図４Ｂを参照して、複数のカートリッジ４Ｋ、４Ｙ、４Ｍ、４Ｃの詳細について説明する。なお、複数のカートリッジ４Ｋ、４Ｙ、４Ｍ、４Ｃは、同じ構造を有する。そのため、以下の説明では、カートリッジ４Ｍについて説明し、カートリッジ４Ｋ、４Ｙ、４Ｃについて説明を省略する。
【００５８】
図３に示すように、複数のカートリッジ４Ｋ、４Ｙ、４Ｍ、４Ｃのそれぞれは、フレーム４６と、フレーム４７と、シャフト７２と、弾性部材７０と、受入部４３と、ドラムクリーナ４９と、排出部４１とをさらに備える。
【００５９】
２．１  フレーム
フレーム４６は、カートリッジ４Ｍにおける軸線方向の一端に位置する。フレーム４７は、カートリッジ４Ｍにおける軸線方向の他端に位置する。フレーム４６およびフレーム４７は、軸線方向に互いに間隔を空けて位置する。フレーム４６およびフレーム４７のそれぞれは、軸線方向と交差する方向に延びる。フレーム４６およびフレーム４７は、感光ドラム４０を回転可能に支持するとともに、現像ユニット４４を揺動可能に支持する。フレーム４６は、感光ドラム４０における軸線方向の一端を回転可能に支持する。フレーム４７は、感光ドラム４０における軸線方向の他端を回転可能に支持する。フレーム４６は、現像ユニット４４に対して感光ドラム４０の回転軸線Ａが延びる軸線方向に向かい合うように配置される。フレーム４７は、現像ユニット４４に対して、フレーム４６の反対側に位置する。フレーム４６およびフレーム４７は、シャフト７２を回転可能に支持する。そして、フレーム４６およびフレーム４７は、シャフト７２を介して、現像ユニット４４を支持する。
【００６０】
２．２  シャフト
シャフト７２は、現像ローラ４５が感光ドラム４０に対して移動可能となるように、現像ユニット４４を支持する。シャフト７２は、カートリッジ４Ｍがドロワ３に支持された状態において、感光ドラム４０に対して上方に位置する。シャフト７２は、軸線方向に延びる。シャフト７２は、軸線方向において、一端と他端とを有する。シャフト７２の一端は、フレーム４６に回転可能に支持される。シャフト７２の他端は、フレーム４７に回転可能に支持される。
【００６１】
２．３  現像フレーム
現像ユニット４４は、現像フレーム７６をさらに備える。現像フレーム７６は、現像ローラ４５を支持する。現像フレーム７６は、シャフト７２に取り付けられる。現像フレーム７６は、軸線方向において、フレーム４６とフレーム４７との間に位置する。現像フレーム７６は、軸線方向に延びる。現像フレーム７６は、軸線方向において、一端７６Ａと他端７６Ｂとを有する。現像フレーム７６の一端７６Ａは、軸線方向において、フレーム４６に対して間隔を空けて向かい合う。現像フレーム７６の他端７６Ｂは、一端７６Ａに対して、フレーム４６の反対側に位置する。
【００６２】
２．４  弾性部材
弾性部材７０は、軸線方向において、現像ユニット４４とフレーム４６との間に配置される。そのため、現像ユニット４４の円滑な揺動を確保できながら、現像ユニット４４とフレーム４６との間からトナーが漏れることを抑制できる。弾性部材７０は、軸線方向において、現像フレーム７６の一端７６Ａとフレーム４６との間に配置される。弾性部材７０の材料として、例えば、ゴムやスポンジなどが挙げられる。弾性部材７０は、貫通口７０Ａを有する。フレーム４６は、第１穴４６Ａを有する。そして、弾性部材７０は、貫通口７０Ａが第１穴４６Ａと軸線方向に連通するように、フレーム４６に固定される。また、現像フレーム７６の一端７６Ａは、第１連通穴７６Ｃを有する。第１連通穴７６Ｃは、軸線方向において、現像フレーム７６の内部空間と連通するとともに、貫通口７０Ａと連通する。つまり、第１穴４６Ａと、貫通口７０Ａと、第１連通穴７６Ｃとは、軸線方向において連通する。また、第１穴４６Ａは、トナー受入壁７３の内部空間と連通する。そのため、トナー受入壁７３の内部空間と現像フレーム７６の内部空間とは、第１穴４６Ａ、貫通口７０Ａおよび第１連通穴７６Ｃを介して連通する。トナー受入壁７３については、後述する。
【００６３】
２．５  受入部
図４Ａに示すように、受入部４３は、複数のトナーボックス９Ｋ、９Ｙ、９Ｍ、９Ｃのそれぞれからトナーを受け入れる。なお、複数のトナーボックス９Ｋ、９Ｙ、９Ｍ、９Ｃについては、後述する。受入部４３は、トナー受入壁７３と、トナー連結壁７４と、シャッタ７５とを備える。
【００６４】
トナー受入壁７３は、フレーム４６に対して、現像ユニット４４の反対側に位置する。トナー受入壁７３は、円筒形状を有する。トナー受入壁７３は、軸線方向に延びる。トナー受入壁７３は、軸線方向において、一端と他端とを有する。トナー受入壁７３の一端は、閉鎖されている（図３参照）。トナー受入壁７３の他端は、トナー受入壁７３の内部空間が第１穴４６Ａと連通するように、フレーム４６に固定されている。トナー受入壁７３は、トナー受入口７３Ａを有する。トナー受入口７３Ａは、トナーを受け入れる。トナー受入口７３Ａは、カートリッジ４Ｍがドロワ３に支持された状態において、トナー受入壁７３の上端に位置する。
【００６５】
トナー連結壁７４は、カートリッジ４Ｍがドロワ３に支持された状態において、トナー受入壁７３の上方に位置する。トナー連結壁７４は、半円筒形状を有する。トナー連結壁７４は、カートリッジ４Ｍがドロワ３に支持された状態において、上方に向かって開放される。トナー連結壁７４は、軸線方向に延びる。トナー連結壁７４は、軸線方向において、一端と他端とを有する。トナー連結壁７４の一端は、開放されている（図３参照）。トナー連結壁７４の他端は、閉鎖されている。トナー連結壁７４は、トナー連結壁７４の内部空間がトナー受入口７３Ａと連通するように、トナー受入壁７３に接続される。これによって、トナー連結壁７４の内部空間は、トナー受入口７３Ａを介して、トナー受入壁７３の内部空間と連通する。
【００６６】
シャッタ７５は、トナー連結壁７４内に配置される。シャッタ７５は、トナー連結壁７４の内周面に沿う半円弧形状を有する。シャッタ７５は、トナー受入口７３Ａを閉鎖する閉位置と、トナー受入口７３Ａを開放する開位置との間を移動可能である。
【００６７】
２．６  ドラムクリーナ
図４Ｂに示すように、ドラムクリーナ４９は、感光ドラム４０に対して現像ユニット４４の反対側に位置する。ドラムクリーナ４９は、ドラムクリーナフレーム４９Ａと、ドラムクリーニングブレード４９Ｂと、オーガ４９Ｃとを備える。
【００６８】
ドラムクリーナフレーム４９Ａは、ドラムクリーニングブレード４９Ｂによって感光ドラム４０の周面から取り除かれた廃トナーを収容する。ドラムクリーナフレーム４９Ａは、廃トナーを受け入れるための開口４９Ｄを有する。ドラムクリーナフレーム４９Ａは、軸線方向において、フレーム４６とフレーム４７との間に位置する。ドラムクリーナフレーム４９Ａは、軸線方向に延びる。
【００６９】
ドラムクリーニングブレード４９Ｂは、感光ドラム４０をクリーニングして、感光ドラム４０の周面から廃トナーを取り除く。ドラムクリーニングブレード４９Ｂのエッジは、開口４９Ｄ内に位置する。ドラムクリーニングブレード４９Ｂのエッジは、感光ドラム４０の周面に接触する。これにより、感光ドラム４０が回転したときに、感光ドラム４０の周面に付着したトナーは、ドラムクリーニングブレード４９Ｂのエッジによって掻き取られ、開口４９Ｄを介してドラムクリーナフレーム４９Ａ内に収容される。
【００７０】
オーガ４９Ｃは、ドラムクリーナフレーム４９Ａ内の廃トナーを排出部４１に向かうように搬送する。オーガ４９Ｃは、ドラムクリーナフレーム４９Ａ内に位置する。オーガ４９Ｃは、軸線方向に延びる。
【００７１】
２．７  排出部
図４Ａに示すように、排出部４１は、感光ドラム４０から除去された廃トナーを排出する。排出部４１は、排出壁４２と、廃トナー連結壁７１と、弾性部材２４とを備える。
【００７２】
排出壁４２は、フレーム４６に対して、ドラムクリーナフレーム４９Ａの反対側に位置する（図３参照）。フレーム４６は、第２穴４６Ｂを有する。第２穴４６Ｂは、ドラムクリーナフレーム４９Ａの内部空間と軸線方向に連通する。排出壁４２は、円筒形状を有する。排出壁４２は、軸線方向に延びる。排出壁４２は、軸線方向において、一端と他端とを有する。排出壁４２の一端は、閉鎖されている（図３参照）。排出壁４２の他端は、排出壁４２の内部空間が第２穴４６Ｂと連通するように、フレーム４６に固定される。これによって、ドラムクリーナフレーム４９Ａの内部空間と排出壁４２の内部空間とは、第２穴４６Ｂを介して、軸線方向に連通する。排出壁４２は、排出口４２Ａを有する。排出口４２Ａは、廃トナーが通過する。排出口４２Ａは、カートリッジ４Ｍがドロワ３に支持された状態において、排出壁４２の下端に位置する。
【００７３】
廃トナー連結壁７１は、カートリッジ４Ｍがドロワ３に支持された状態において、排出壁４２の下方に位置する。廃トナー連結壁７１は、軸線方向に延びる。廃トナー連結壁７１は、軸線方向において、一端と他端とを有する。廃トナー連結壁７１の一端は、開放されている。廃トナー連結壁７１の他端は、閉鎖されている（図３参照）。廃トナー連結壁７１は、廃トナー連結壁７１の内部空間が排出口４２Ａと連通するように、排出壁４２に接続される。これによって、廃トナー連結壁７１の内部空間は、排出口４２Ａを介して、排出壁４２の内部空間と連通する。
【００７４】
弾性部材２４は、廃トナー連結壁７１内に位置する。弾性部材２４は、連通口２４Ａを有する。弾性部材２４は、連通口２４Ａが排出口４２Ａと連通するように、廃トナー連結壁７１の内周面に固定される。弾性部材２４の材料として、例えば、ゴムやスポンジなどが挙げられる。
【００７５】
３．画像形成装置の詳細
図５に示すように、画像形成装置１は、廃トナーボックス５と、複数のトナーボックス９Ｋ、９Ｙ、９Ｍ、９Ｃ（図７参照）とをさらに備える。
【００７６】
３．１  廃トナーボックス
図６に示すように、廃トナーボックス５は、ボックス本体５２と、複数の連結部５０Ｋ、５０Ｙ、５０Ｍ、５０Ｃと、サブ連結部５３とを備える。
【００７７】
３．１．１  ボックス本体
ボックス本体５２は、感光ドラム４０から除去された廃トナーおよび中間転写ベルト６２から除去された廃トナーを収容可能である（図１参照）。ボックス本体５２は、並び方向に延びる。ボックス本体５２は、第１壁５２Ａと、第２壁５２Ｂと、第１側壁５２Ｃと、第２側壁５２Ｄと、底壁５２Ｅと、上壁５２Ｆと、傾斜壁５２Ｇと、を備える。なお、ボックス本体５２の構成は、廃トナーボックス５が後述する第１位置に位置する状態を基準として説明する。
【００７８】
第１壁５２Ａは、複数の連結部５０Ｋ、５０Ｙ、５０Ｍ、５０Ｃを支持する。第２壁５２Ｂは、第１壁５２Ａに対して複数の連結部５０Ｋ、５０Ｙ、５０Ｍ、５０Ｃの反対側に位置する。第２壁５２Ｂは、第１壁５２Ａに対して軸線方向に間隔を空けて位置する。
【００７９】
第１側壁５２Ｃおよび第２側壁５２Ｄは、ボックス本体５２の並び方向両端部に位置し、並び方向に互いに間隔を空けて位置する。底壁５２Ｅは、ボックス本体５２の下端部に位置する。
【００８０】
上壁５２Ｆは、底壁５２Ｅに対して上方に間隔を空けて配置され、底壁５２Ｅと平行に延びる。上壁５２Ｆは、軸線方向において、一端と他端とを有する。上壁５２Ｆの軸線方向の一端は、第２壁５２Ｂの上端に対して間隔を空けて位置する。上壁５２Ｆの軸線方向の一端は、第２壁５２Ｂの上端よりも上方に位置する。上壁５２Ｆの軸線方向の他端は、第１壁５２Ａの上端に接続される。
【００８１】
傾斜壁５２Ｇは、上壁５２Ｆの軸線方向の一端と第２壁５２Ｂの上端とを連結する。傾斜壁５２Ｇは、上下方向および軸線方向の両方向と交差する。傾斜壁５２Ｇは、上壁５２Ｆから第２壁５２Ｂに向かうにつれて、底壁５２Ｅに向かうように傾斜している。傾斜壁５２Ｇが傾斜しているので、複数のトナーボックス９Ｋ、９Ｙ、９Ｍ、９Ｃを装置本体２に着脱するときに、廃トナーボックス５が邪魔になることを抑制できる（図１０Ｂ参照）。
【００８２】
３．１．２  連結部
複数の連結部５０Ｋ、５０Ｙ、５０Ｍ、５０Ｃは、複数のカートリッジ４Ｋ、４Ｙ、４Ｍ、４Ｃの排出部４１と連結可能である（図７参照）。詳しくは、連結部５０Ｋは、カートリッジ４Ｋの排出部４１と連結可能である。連結部５０Ｙは、カートリッジ４Ｙの排出部４１と連結可能である。連結部５０Ｍは、カートリッジ４Ｍの排出部４１と連結可能である。連結部５０Ｃは、カートリッジ４Ｃの排出部４１と連結可能である。
【００８３】
複数の連結部５０Ｋ、５０Ｙ、５０Ｍ、５０Ｃは、ボックス本体５２における軸線方向の外面に位置する。複数の連結部５０Ｋ、５０Ｙ、５０Ｍ、５０Ｃは、第１壁５２Ａから突出する。複数の連結部５０Ｋ、５０Ｙ、５０Ｍ、５０Ｃは、並び方向に互いに間隔を空けて位置する。複数の連結部５０Ｋ、５０Ｙ、５０Ｍ、５０Ｃのそれぞれは、同じ構造を有する。そのため、連結部５０Ｍについて説明し、連結部５０Ｋ、５０Ｙ、５０Ｃについての説明を省略する。
【００８４】
連結部５０Ｍは、円筒形状を有する。連結部５０Ｍは、軸線方向に延びる。連結部５０Ｍは、軸線方向において、一端と他端とを有する。連結部５０Ｍの一端は、ボックス本体５２に固定されている。連結部５０Ｍの他端は、閉鎖されている。連結部５０Ｍの内部空間は、ボックス本体５２の内部空間と連通する。連結部５０Ｍは、受入壁５１を含む。つまり、複数の連結部５０Ｋ、５０Ｙ、５０Ｍ、５０Ｃのそれぞれは、受入壁５１を有する。受入壁５１は、廃トナーボックス５が第１位置に位置する状態において、連結部５０Ｍにおける上端に位置する。廃トナーボックス５の第１位置については、後述する。受入壁５１は、受入口５５を有する。受入口５５は、排出口４２Ａからの廃トナーを受け入れる。
【００８５】
３．１．３  サブ連結部
サブ連結部５３は、ボックス本体５２における軸線方向の外面に位置する。サブ連結部５３は、第１壁５２Ａから突出する。サブ連結部５３は、連結部５０Ｃに対して並び方向に間隔を空けて位置する。サブ連結部５３は、連結部５０Ｍと同様の構造を有する。そのため、サブ連結部５３の詳細な説明を省略する。なお、サブ連結部５３の受入壁を受入壁５４とし、サブ連結部５３の受入口を受入口５６とする。
【００８６】
また、図７に示すように、サブ連結部５３は、ベルトユニット６が備えるサブ排出部６５と連結可能である。サブ排出部６５は、ベルトクリーナ６４（図１参照）により、中間転写ベルト６２（図１参照）から除去された廃トナーを排出する。サブ排出部６５は、排出部４１と同様の構成を有する。そのため、サブ排出部６５の詳細な説明を省略する。なお、サブ排出部６５の排出壁を排出壁６７とし、サブ排出部６５の廃トナー連結壁を廃トナー連結壁６８とし、サブ排出部６５の弾性部材を弾性部材６９とする。
【００８７】
３．１．４  廃トナーボックスの第１位置
廃トナーボックス５は、装置本体２に装着された状態において、第１位置（図８参照）と第２位置（図９参照）との間を移動可能である。本実施形態では、廃トナーボックス５は、装置本体２に装着された状態において、第１位置（図８参照）と、第２位置（図９参照）と、第３位置（図１０Ａ参照）との間を回動可能である。そのため、廃トナーボックス５を、第１位置と第２位置と第３位置とに円滑に移動させることができる。
【００８８】
図８に示すように、複数のカートリッジ４Ｋ、４Ｙ、４Ｍ、４Ｃが内側位置に位置するドロワ３に支持され、廃トナーボックス５が第１位置に位置する状態において、廃トナーボックス５は、感光ドラム４０の回転軸線Ａが延びる軸線方向において複数のカートリッジ４Ｋ、４Ｙ、４Ｍ、４Ｃと並ぶように配置される（図１参照）。複数のカートリッジ４Ｋ、４Ｙ、４Ｍ、４Ｃが内側位置に位置するドロワ３に支持され、廃トナーボックス５が第１位置に位置する状態において、複数の連結部５０Ｋ、５０Ｙ、５０Ｍ、５０Ｃと複数のカートリッジ４Ｋ、４Ｙ、４Ｍ、４Ｃの排出部４１とが連結する（図７参照）。詳しくは、連結部５０Ｋがカートリッジ４Ｋの排出部４１と連結し、連結部５０Ｙがカートリッジ４Ｙの排出部４１と連結し、連結部５０Ｍがカートリッジ４Ｍの排出部４１と連結し、連結部５０Ｃがカートリッジ４Ｃの排出部４１と連結する。より具体的には、複数の連結部５０Ｋ、５０Ｙ、５０Ｍ、５０Ｃのそれぞれが、廃トナー連結壁７１に嵌る（図７参照）。受入壁５１は、廃トナーボックス５が第１位置に位置する状態において排出壁４２と向かい合う。受入壁５１は、廃トナーボックス５から複数のカートリッジ４Ｋ、４Ｙ、４Ｍ、４Ｃに向かう方向において、第１端部５１Ａと第２端部５１Ｂとを有する。第２端部５１Ｂは、廃トナーボックス５が第１位置に位置する状態において、第１端部５１Ａに対して複数のカートリッジ４Ｋ、４Ｙ、４Ｍ、４Ｃの反対側に位置する。受入壁５１は、廃トナーボックス５が第１位置に位置する状態において、第２端部５１Ｂから第１端部５１Ａに向かうにつれて、排出壁４２から離れるように傾斜する。そのため、廃トナーボックス５が第２位置（図９参照）から第１位置に移動するときに、受入壁５１が排出壁４２と接触することを抑制でき、受入壁５１を排出壁４２と向かい合うように安定して配置できる。
【００８９】
また、廃トナーボックス５が第１位置に位置する状態において、排出壁４２と受入壁５１との間に、弾性部材２４が配置される。連通口２４Ａは、排出口４２Ａおよび受入口５５のそれぞれと連通する。そのため、廃トナーボックス５が第１位置に位置する状態において、弾性部材２４が排出壁４２と受入壁５１との間の隙間を安定して埋めることができる。そして、排出口４２Ａから排出される廃トナーが、連通口２４Ａを介して、受入口５５に受け入れられる。その結果、排出壁４２と受入壁５１との間から廃トナーが漏れることを防ぐことができる。
【００９０】
また、サブ連結部５３は、廃トナーボックス５が第１位置に位置する状態において、廃トナー連結壁６８に嵌る（図７参照）。
【００９１】
３．１．５  廃トナーボックスの第２位置
図９に示すように、複数のカートリッジ４Ｋ、４Ｙ、４Ｍ、４Ｃが内側位置に位置するドロワ３に支持され、廃トナーボックス５が第２位置に位置する状態において、廃トナーボックス５は、第１位置よりも複数のカートリッジ４Ｋ、４Ｙ、４Ｍ、４Ｃから離れて位置する（図１参照）。具体的には、廃トナーボックス５が、後述する第１収容フレーム３１に収容された状態で、後述する回動軸３２を支点として回動し、後述する第１壁２０から離れるように傾く。複数のカートリッジ４Ｋ、４Ｙ、４Ｍ、４Ｃが内側位置に位置するドロワ３に支持され、廃トナーボックス５が第２位置に位置する状態において、複数の連結部５０Ｋ、５０Ｙ、５０Ｍ、５０Ｃと複数のカートリッジ４Ｋ、４Ｙ、４Ｍ、４Ｃの排出部４１との連結が解除される。詳しくは、連結部５０Ｋとカートリッジ４Ｋの排出部４１との連結が解除され、連結部５０Ｙとカートリッジ４Ｙの排出部４１と連結が解除され、連結部５０Ｍとカートリッジ４Ｍの排出部４１との連結が解除され、連結部５０Ｃとカートリッジ４Ｃの排出部４１との連結が解除される。より具体的には、複数の連結部５０Ｋ、５０Ｙ、５０Ｍ、５０Ｃのそれぞれが、廃トナー連結壁７１から抜け、複数のカートリッジ４Ｋ、４Ｙ、４Ｍ、４Ｃの排出部４１のそれぞれと軸線方向に間隔を空けて位置する。
【００９２】
なお、廃トナーボックス５が第２位置に位置する状態では、装置本体２に装着される複数のトナーボックス９Ｋ、９Ｙ、９Ｍ、９Ｃが、第２位置に位置する廃トナーボックス５に対して、廃トナーボックス５の装置本体２からの離脱方向の下流側に位置する。そのため、廃トナーボックス５が第２位置に位置する状態では、廃トナーボックス５は装置本体２から離脱不能である。
【００９３】
３．１．６  廃トナーボックスの第３位置
図１０Ａに示すように、廃トナーボックス５が第３位置に位置する状態において、廃トナーボックス５は、第２位置よりも第１位置から離れて位置する。廃トナーボックス５が第３位置に位置する状態において、複数の連結部５０Ｋ、５０Ｙ、５０Ｍ、５０Ｃと、複数の排出部４１との間の距離は、廃トナーボックス５が第２位置に位置する状態よりも大きい。具体的には、廃トナーボックス５が第２位置から第３位置に移動するときに、廃トナーボックス５を支持する第１収容フレーム３１（後述）が、後述する回動軸３２を支点として回動し、後述する第１壁２０から離れるように傾く。
【００９４】
これによって、廃トナーボックス５が第３位置に位置する状態において、装置本体２に装着される複数のトナーボックス９Ｋ、９Ｙ、９Ｍ、９Ｃが、第３位置に位置する廃トナーボックス５に対して、廃トナーボックス５の装置本体２からの離脱方向の下流側に位置しない。そのため、廃トナーボックス５が第３位置に位置する状態において、廃トナーボックス５は、装置本体２から離脱可能である。
【００９５】
３．２  廃トナーボックスの支持構成
図８に示すように、装置本体２は、廃トナーボックス５が移動可能となるように、廃トナーボックス５を支持する。詳しくは、装置本体２は、第１壁２０と、第２壁２１と、第１支持部２６とをさらに備える。
【００９６】
３．２．１  第１壁
第１壁２０は、装置本体２の内部空間を、複数のカートリッジ４Ｋ、４Ｙ、４Ｍ、４Ｃ（図１参照）を収容する第１空間と、廃トナーボックス５および複数のトナーボックス９Ｋ、９Ｙ、９Ｍ、９Ｃ（図８参照）を収容する第２空間とに区画する。第１壁２０は、上下方向に延びる。第１壁２０は、複数のカートリッジ４Ｋ、４Ｙ、４Ｍ、４Ｃと、第１位置に位置する廃トナーボックス５との間に位置する。詳しくは、第１壁２０は、軸線方向において、複数のカートリッジ４Ｋ、４Ｙ、４Ｍ、４Ｃと、第１位置に位置する廃トナーボックス５のボックス本体５２との間に位置する。第１壁２０は、複数の第１穴２０Ａを有する。複数の第１穴２０Ａのそれぞれは、ドロワ３が内側位置に位置する状態において、廃トナー連結壁７１と軸線方向に向かい合う。複数の第１穴２０Ａは、廃トナーボックス５が第１位置に位置する状態において、複数の連結部５０Ｋ、５０Ｙ、５０Ｍ、５０Ｃを受け入れる（図６参照）。
【００９７】
３．２．２  第２壁
第２壁２１は、第１位置に位置する廃トナーボックス５に対して、複数のカートリッジ４Ｋ、４Ｙ、４Ｍ、４Ｃの反対側に位置する。第２壁２１は、軸線方向において、第１壁２０に対して間隔を空けて位置する。第２壁２１は、上下方向に延びる。第２壁２１は、第２開口２１Ａと、可動壁２１Ｂとを有する。
【００９８】
第２開口２１Ａは、軸線方向において、第１位置に位置する廃トナーボックス５に対して複数のカートリッジ４Ｋ、４Ｙ、４Ｍ、４Ｃの反対側に位置する。
【００９９】
可動壁２１Ｂは、廃トナーボックス５の移動に応じて移動可能である。そのため、第２壁２１が廃トナーボックス５の移動の邪魔になることを抑制でき、廃トナーボックス５の円滑な移動を確保することができる。可動壁２１Ｂは、第２壁２１における第２開口２１Ａの下端に支持される。可動壁２１Ｂは、可動壁２１Ｂの下端部を支点として揺動可能である。可動壁２１Ｂは、廃トナーボックス５が第１位置に位置される状態において、上下方向に延びる。
【０１００】
３．２．３  第１収容部
第１支持部２６は、廃トナーボックス５を支持する。第１支持部２６は、軸線方向において、第１壁２０と第２壁２１との間に位置する。第１支持部２６は、第１壁２０に支持される。第１支持部２６は、回動軸３２と、第１収容フレーム３１とを備える。
【０１０１】
回動軸３２は、並び方向に延びる。回動軸３２は、第１壁２０に回転可能に支持される。
【０１０２】
第１収容フレーム３１は、廃トナーボックス５を収容可能である。第１収容フレーム３１は、第１サイドフレーム３１Ａと、第２サイドフレーム３１Ｂと、可動フレーム３１Ｃと、着脱口３１Ｄとを有する。
【０１０３】
第１サイドフレーム３１Ａは、第１収容フレーム３１において軸線方向の一端に位置する。第２サイドフレーム３１Ｂは、第１収容フレーム３１において軸線方向の他端に位置する。第１サイドフレーム３１Ａは、廃トナーボックス５が第１位置に位置する状態において、ボックス本体５２に対して、第１壁２０の反対側に位置する。第２サイドフレーム３１Ｂは、廃トナーボックス５が第１位置に位置する状態において、ボックス本体５２と第１壁２０との間に位置する。第１サイドフレーム３１Ａおよび第２サイドフレーム３１Ｂのそれぞれは、廃トナーボックス５が第１位置に位置する状態において、上下方向に延びる。
【０１０４】
可動フレーム３１Ｃは、複数のトナーボックス９Ｋ、９Ｙ、９Ｍ、９Ｃの移動に応じて移動可能である。可動フレーム３１Ｃは、第１サイドフレーム３１Ａの上端に支持される。可動フレーム３１Ｃは、廃トナーボックス５が第１位置に位置され、複数のトナーボックス９Ｋ、９Ｙ、９Ｍ、９Ｃが連結位置に位置される状態において、上下方向に延びる。なお、連結位置については、後述する。可動フレーム３１Ｃは、可動フレーム３１Ｃの下端部を支点として揺動可能である。第１サイドフレーム３１Ａおよび可動フレーム３１Ｃは、廃トナーボックス５が第１位置に位置する状態において、第２開口２１Ａの下方部分を閉鎖する。
【０１０５】
着脱口３１Ｄは、廃トナーボックス５を第１収容フレーム３１に着脱するときに、廃トナーボックス５の通過を許容する。着脱口３１Ｄは、第２サイドフレーム３１Ｂの上端と可動フレーム３１Ｃの上端との間に画定される。
【０１０６】
第１収容フレーム３１は、回動軸３２に取り付けられる。詳しくは、第１収容フレーム３１の下端部が、回動軸３２に固定される。これによって、廃トナーボックス５は、第１支持部２６に収容された状態において、回動軸３２を中心として回動する。つまり、廃トナーボックス５の回動支点は、回動軸３２であって、第１壁２０に支持される。そのため、廃トナーボックス５の回動支点が第２壁２１に支持される場合と比較して、連結部５０Ｍの上下方向の移動量の低減を図ることができ、上下方向における画像形成装置１の小型化を図ることができる。
【０１０７】
図９に示すように、第１収容フレーム３１は、廃トナーボックス５が第１位置から第２位置に移動するときに、回動軸３２を支点として、第１壁２０から離れるように傾く。廃トナーボックス５が第２位置に位置する状態において、複数の連結部５０Ｋ、５０Ｙ、５０Ｍ、５０Ｃ（図６参照）は、第１壁２０に対して排出部４１の反対側に位置する。また、廃トナーボックス５が第２位置に位置する状態において、廃トナーボックス５は、第１収容フレーム３１から離脱不能である。廃トナーボックス５が第２位置に位置する状態において、廃トナーボックス５は、装置本体２からの離脱方向、具体的には、第１サイドフレーム３１Ａの延びる方向に、第２支持部２７Ｍと重なる。なお、第２支持部２７Ｍについては、後述する。
【０１０８】
図１０Ａに示すように、第１収容フレーム３１は、廃トナーボックス５が第２位置から第３位置に移動するときに、回動軸３２を支点として、第２位置よりも第１壁２０から離れるように傾く。廃トナーボックス５が第３位置に位置する状態において、廃トナーボックス５は、装置本体２からの離脱方向、具体的には、第１サイドフレーム３１Ａの延びる方向に、第２支持部２７Ｍと重ならない。また、着脱口３１Ｄは、第２開口２１Ａの下方部分から露出する。そのため、廃トナーボックス５は、着脱口３１Ｄおよび第２開口２１Ａを介して、第１収容フレーム３１から離脱可能である。
【０１０９】
また、第１サイドフレーム３１Ａは、廃トナーボックス５が第１位置（図８参照）から第２位置（図９参照）または第３位置（図１０Ａ参照）に移動するときに、可動壁２１Ｂと接触する。そのため、可動壁２１Ｂは、第１収容フレーム３１の移動に応じて、可動壁２１Ｂの下端を支点として、第１壁２０から離れるように揺動する。
【０１１０】
３．３  トナーボックス
図８に示すように、複数のトナーボックス９Ｋ、９Ｙ、９Ｍ、９Ｃは、複数のカートリッジ４Ｋ、４Ｙ、４Ｍ、４Ｃにトナーを供給する（図７参照）。複数のトナーボックス９Ｋ、９Ｙ、９Ｍ、９Ｃのそれぞれは、筐体９１と、オーガ９３（図１１Ａ参照）と、供給部９０と、シャッタ９４とを備える。複数のトナーボックス９Ｋ、９Ｙ、９Ｍ、９Ｃのそれぞれは、同じ構造を有する。そのため、トナーボックス９Ｍについて説明し、トナーボックス９Ｋ、９Ｙ、９Ｃについての説明を省略する。
【０１１１】
３．３．１  筐体およびオーガ
図１１Ａおよび図１１Ｂに示すように、筐体９１は、トナーを収容する。筐体９１は、仕切壁９２と、連通口９２Ａとを有する。
【０１１２】
仕切壁９２は、筐体９１の内部空間を第１収容室９１Ａと第２収容室９１Ｂとに仕切る。仕切壁９２は、筐体９１の内部に配置される。仕切壁９２は、軸線方向に延びる。第１収容室９１Ａは、トナーボックス９Ｍが連結位置に位置する状態において、第２収容室９１Ｂに対して上方に位置する。第１収容室９１Ａには、第１アジテータ９５が配置される。第２収容室９１Ｂには、第２アジテータ９６が配置される。
【０１１３】
連通口９２Ａは、仕切壁９２に配置される。連通口９２Ａは、第１収容室９１Ａと第２収容室９１Ｂとを連通する。
【０１１４】
オーガ９３は、第２収容室９１Ｂ内のトナーを供給部９０に向かうように搬送する。オーガ９３は、軸線方向に延びる。
【０１１５】
３．３．２  供給部およびシャッタ
図８に示すように、供給部９０は、筐体９１における軸線方向の外面に配置される。供給部９０は、円筒形状を有する。供給部９０は、軸線方向に延びる。供給部９０は、軸線方向において、一端と他端とを有する。供給部９０の一端は、筐体９１に固定される。供給部９０の他端は、閉鎖されている。供給部９０の内部空間は、筐体９１の内部空間と連通している。詳しくは、供給部９０は、第２収容室９１Ｂ（図１１Ａ参照）と連通している。そのため、筐体９１に収容するトナーを、第２収容室９１Ｂから供給部９０に供給することができる。
【０１１６】
供給部９０は、複数のカートリッジ４Ｋ、４Ｙ、４Ｍ、４Ｃのそれぞれの受入部４３と連結可能である（図７参照）。供給部９０は、複数のカートリッジ４Ｋ、４Ｙ、４Ｍ、４Ｃのそれぞれの受入部４３にトナーを供給可能である。
【０１１７】
供給部９０は、トナー通過口９０Ａを有する。トナー通過口９０Ａは、トナーの通過を許容する。トナー通過口９０Ａは、トナーボックス９Ｍが連結位置に位置する状態において、供給部９０における下端に位置する。
【０１１８】
シャッタ９４は、供給部９０の周面に配置される。シャッタ９４は、トナー通過口９０Ａを閉鎖する閉位置と、トナー通過口９０Ａを開放する開位置との間を移動可能である。
【０１１９】
３．３．３  トナーボックスの連結位置
複数のトナーボックス９Ｋ、９Ｙ、９Ｍ、９Ｃのそれぞれは、装置本体２に装着された状態において、連結位置（図８参照）と連結解除位置（図９参照）との間を移動可能である。本実施形態では、複数のトナーボックス９Ｋ、９Ｙ、９Ｍ、９Ｃのそれぞれは、装置本体２に装着された状態において、連結位置（図８参照）と、連結解除位置（図９参照）と、離脱可能位置（図１０Ｂ参照）との間を回動可能である。そのため、複数のトナーボックス９Ｋ、９Ｙ、９Ｍ、９Ｃのそれぞれを、連結位置と連結解除位置と離脱可能位置とに円滑に移動させることができる。
【０１２０】
複数のトナーボックス９Ｋ、９Ｙ、９Ｍ、９Ｃのそれぞれが連結位置に位置する状態において、複数のトナーボックス９Ｋ、９Ｙ、９Ｍ、９Ｃのそれぞれの供給部９０は、複数のカートリッジ４Ｋ、４Ｙ、４Ｍ、４Ｃのそれぞれの受入部４３と連結する（図７参照）。詳しくは、トナーボックス９Ｋが連結位置に位置する状態において、トナーボックス９Ｋの供給部９０がカートリッジ４Ｋの受入部４３と連結する。トナーボックス９Ｙが連結位置に位置する状態において、トナーボックス９Ｙの供給部９０がカートリッジ４Ｙの受入部４３と連結する。トナーボックス９Ｍが連結位置に位置する状態において、トナーボックス９Ｍの供給部９０がカートリッジ４Ｍの受入部４３と連結する。トナーボックス９Ｃが連結位置に位置する状態において、トナーボックス９Ｃの供給部９０がカートリッジ４Ｃの受入部４３と連結する。なお、連結位置、連結解除位置および離脱可能位置のそれぞれにおいて、複数のトナーボックス９Ｋ、９Ｙ、９Ｍ、９Ｃのそれぞれは、同様に配置される。そのため、連結位置、連結解除位置および離脱可能位置のそれぞれに関して、トナーボックス９Ｍを説明し、トナーボックス９Ｋ、９Ｙ、９Ｃについての説明を省略する。
【０１２１】
トナーボックス９Ｍが連結位置に位置する状態において、供給部９０が、トナー連結壁７４に嵌る。そして、シャッタ７５およびシャッタ９４のそれぞれが開位置に位置する状態において、供給部９０のトナー通過口９０Ａと、トナー受入壁７３のトナー受入口７３Ａとが連通する。これによって、筐体９１に収容されるトナーを、供給部９０からトナー受入壁７３に供給することができる。
【０１２２】
また、第１壁２０は、カートリッジ４Ｍと、連結位置に位置するトナーボックス９Ｍとの間に位置する。詳しくは、第１壁２０は、軸線方向において、カートリッジ４Ｍと、連結位置に位置するトナーボックス９Ｍの筐体９１との間に位置する。
【０１２３】
第１壁２０は、複数の第２穴２０Ｂを有する。複数の第２穴２０Ｂのそれぞれは、ドロワ３が内側位置に位置する状態において、受入部４３のトナー連結壁７４と軸線方向に向かい合う。第２穴２０Ｂは、トナーボックス９Ｍが連結位置に位置する状態において、供給部９０を受け入れる。
【０１２４】
３．３．４  トナーボックスの連結解除位置
図９に示すように、トナーボックス９Ｍが連結解除位に位置する状態において、トナーボックス９Ｍは、第１位置よりもカートリッジ４Ｍから離れて位置する。トナーボックス９Ｍが連結解除位に位置する状態において、供給部９０と受入部４３との連結が解除される。詳しくは、トナーボックス９Ｍが連結解除位置に位置する状態において、供給部９０がトナー連結壁７４から抜ける。トナーボックス９Ｍが連結解除位置に位置する状態において、供給部９０は、第１壁２０に対して受入部４３の反対側に位置する。そのため、ドロワ３が内側位置と外側位置とを移動するときに、供給部９０が邪魔になることを抑制できる。
【０１２５】
なお、トナーボックス９Ｍが連結解除位置に位置する状態では、装置本体２の上壁が、連結解除位置に位置するトナーボックス９Ｍに対して、トナーボックス９Ｍの装置本体２からの離脱方向の下流側に位置する。そのため、トナーボックス９Ｍは、連結解除位置に位置する状態では、装置本体２から離脱不能である。
【０１２６】
３．３．５  トナーボックスの離脱可能位置
図１０Ｂに示すように、トナーボックス９Ｍが離脱可能位置に位置する状態において、トナーボックス９Ｍは、連結解除位置（図９参照）よりも連結位置（図８参照）から離れて位置する。トナーボックス９Ｍが離脱可能位置に位置する状態において、供給部９０と、受入部４３との間の距離は、トナーボックス９Ｍが連結解除位置に位置する状態よりも大きい。具体的には、トナーボックス９Ｍが連結解除位置から離脱可能位置に移動するときに、トナーボックス９Ｍを支持する第２収容フレーム３３（後述）が、後述する回動軸３４を支点として回動し、第１壁２０から離れるように傾く。
【０１２７】
これによって、トナーボックス９Ｍが離脱可能位置に位置する状態において、装置本体２の上壁が、離脱可能位置に位置するトナーボックス９Ｍに対して、トナーボックス９Ｍの装置本体２からの離脱方向の下流側に位置しない。そのため、トナーボックス９Ｍが離脱可能位置に位置する状態において、トナーボックス９Ｍは、装置本体２から離脱可能である。
【０１２８】
３．４  第２支持部
図８に示すように、装置本体２は、複数のトナーボックス９Ｋ、９Ｙ、９Ｍ、９Ｃのそれぞれが移動可能となるように、複数のトナーボックス９Ｋ、９Ｙ、９Ｍ、９Ｃを支持する。装置本体２は、複数の第２支持部２７Ｋ（図示せず）、２７Ｙ（図示せず）、２７Ｍ、２７Ｃ（図示せず）をさらに備える。複数の第２支持部２７Ｋ（図示せず）、２７Ｙ（図示せず）、２７Ｍ、２７Ｃ（図示せず）は、同じ構造を有する。そのため、以下の説明では、第２支持部２７Ｍについて説明し、第２支持部２７Ｋ、２７Ｙ、２７Ｃについての説明を省略する。
【０１２９】
第２支持部２７Ｍは、トナーボックス９Ｍを支持する。第２支持部２７Ｍは、第１支持部２６の上方に位置する。第２支持部２７Ｍは、第１壁２０に支持されている。第２支持部２７Ｍは、回動軸３４と、第２収容フレーム３３とを備える。
【０１３０】
回動軸３４は、並び方向に延びる。回動軸３４は、第１壁２０に回転可能に支持される。
【０１３１】
第２収容フレーム３３は、トナーボックス９Ｍを収容可能である。第２収容フレーム３３は、第３サイドフレーム３３Ａと、第４サイドフレーム３３Ｂと、着脱口３３Ｃとを有する。
【０１３２】
第３サイドフレーム３３Ａは、第２収容フレーム３３において軸線方向の一端に位置する。第４サイドフレーム３３Ｂは、第２収容フレーム３３において軸線方向の他端に位置する。第３サイドフレーム３３Ａは、トナーボックス９Ｍが連結位置に位置する状態において、筐体９１に対して、第１壁２０の反対側に位置する。第４サイドフレーム３３Ｂは、トナーボックス９Ｍが連結位置に位置する状態において、筐体９１と第１壁２０との間に位置する。第３サイドフレーム３３Ａおよび第４サイドフレーム３３Ｂのそれぞれは、トナーボックス９Ｍが連結位置に位置する状態において、上下方向に延びる。第３サイドフレーム３３Ａは、トナーボックス９Ｍが連結位置に位置する状態において、第２開口２１Ａの上方部分を閉鎖する。
【０１３３】
着脱口３３Ｃは、トナーボックス９Ｍを第２収容フレーム３３に着脱するときに、トナーボックス９Ｍの通過を許容する。着脱口３３Ｃは、第３サイドフレーム３３Ａの上端と第４サイドフレーム３３Ｂの上端との間に画定される。
【０１３４】
第２収容フレーム３３は、回動軸３４に取り付けられる。詳しくは、第２収容フレーム３３の下端部が、回動軸３４に固定される。これによって、トナーボックス９Ｍは、第２支持部２７Ｍに支持された状態において、回動軸３４を中心として回動する。つまり、トナーボックス９Ｍの回動支点は、回動軸３４であって、第１壁２０に支持される。
【０１３５】
図９に示すように、第２収容フレーム３３は、トナーボックス９Ｍが連結位置（図８参照）から連結解除位置に移動するときに、回動軸３４を支点として、第１壁２０から離れるように傾く。トナーボックス９Ｍが連結解除位置に位置する状態において、トナーボックス９Ｍは、装置本体２からの離脱方向、具体的には、第３サイドフレーム３３Ａの延びる方向において、装置本体２の上壁と重なる。そのため、トナーボックス９Ｍが連結解除位置に位置する状態において、トナーボックス９Ｍは、第２支持部２７Ｍから離脱不能である。
【０１３６】
図１０Ｂに示すように、第２収容フレーム３３は、トナーボックス９Ｍが連結解除位置（図９参照）から離脱可能位置に移動するときに、回動軸３４を支点として、連結解除位置（図９参照）よりも第１壁２０から離れるように傾く。トナーボックス９Ｍが離脱可能位置に位置する状態において、トナーボックス９Ｍは、装置本体２からの離脱方向、具体的には、第３サイドフレーム３３Ａの延びる方向において、装置本体２の上壁と重ならない。また、着脱口３３Ｃは、第２開口２１Ａの上方部分から露出する。そのため、トナーボックス９Ｍは、着脱口３３Ｃおよび第２開口２１Ａを介して、第２収容フレーム３３から離脱可能である。
【０１３７】
また、第３サイドフレーム３３Ａは、廃トナーボックス５が第１位置に位置し、かつ、トナーボックス９Ｍが連結位置（図８参照）から連結解除位置（図９参照）または離脱可能位置に移動するときに、可動フレーム３１Ｃと接触する。そのため、可動フレーム３１Ｃは、第２収容フレーム３３の移動に応じて、可動フレーム３１Ｃの下端を支点として、第１壁２０から離れるように揺動する。
【０１３８】
３．５  第１押圧ユニット
また、図７に示すように、画像形成装置１は、複数の第１押圧ユニット２８Ａおよび２８Ｂと、複数の第２押圧ユニット２９Ｋ、２９Ｙ、２９Ｍ、２９Ｃと、第１リンク部材７と、第１ガイド３７と、第２ガイド３８と、連結部８１と、第２リンク部材８と、第３ガイド３９とをさらに備える。
【０１３９】
第１押圧ユニット２８Ａおよび２８Ｂは、廃トナーボックス５が第１位置から第２位置に向かうように、廃トナーボックス５を押圧する（図８参照）。第１押圧ユニット２８Ａおよび２８Ｂは、並び方向において互いに間隔を空けて位置する。第１押圧ユニット２８Ａおよび２８Ｂは、第１ガイド３７内に配置される。第１ガイド３７については、後述する。また、第１押圧ユニット２８Ａおよび２８Ｂは、同じ構造を有する。そのため、以下の説明では、第１押圧ユニット２８Ａについて説明し、第１押圧ユニット２８Ｂについての説明を省略する。
【０１４０】
図８に示すように、第１押圧ユニット２８Ａは、軸線方向において、第１壁２０に対して、第１収容フレーム３１の反対側に位置する。第１押圧ユニット２８Ａは、軸線方向において、第２サイドフレーム３１Ｂに対して、ボックス本体５２の反対側に位置する。第１押圧ユニット２８Ａは、廃トナーボックス５が第１位置に位置する状態で、上下方向において連結部５０Ｍと回動軸３２との間に位置する。第１押圧ユニット２８Ａは、ばね２３と、第１接触部３５とを備える。つまり、画像形成装置１は、ばね２３を備える。
【０１４１】
ばね２３は、廃トナーボックス５を第１位置から第２位置（図９参照）に向かって押圧する。ばね２３は、廃トナーボックス５が第１位置に位置する状態において、連結部５０Ｍと回動軸３２との間に位置する。言い換えれば、ばね２３は、廃トナーボックス５が第１位置に位置する状態で、上下方向において連結部５０Ｍと廃トナーボックス５の回動支点との間に位置する。そのため、ばね２３の効率的な配置を確保することができる。
【０１４２】
第１接触部３５は、第１壁２０が有する第３穴２０Ｃを介して、第２サイドフレーム３１Ｂと接触する。第１接触部３５は、ばね２３によって、第２サイドフレーム３１Ｂに向かって押圧される。第１接触部３５は、円筒形状を有する。第１接触部３５は、軸線方向延びる。第１接触部３５は、ばね２３を収容する。
【０１４３】
３．６  第２押圧ユニット
図７に示すように、複数の第２押圧ユニット２９Ｋ、２９Ｙ、２９Ｍ、２９Ｃは、複数のトナーボックス９Ｋ、９Ｙ、９Ｍ、９Ｃが連結位置（図８参照）から連結解除位置（図９参照）に向かうように、複数のトナーボックス９Ｋ、９Ｙ、９Ｍ、９Ｃを押圧する。複数の第２押圧ユニット２９Ｋ、２９Ｙ、２９Ｍ、２９Ｃは、並び方向に互いに間隔を空けて位置する。複数の第２押圧ユニット２９Ｋ、２９Ｙ、２９Ｍ、２９Ｃは、第２ガイド３８内に配置される。第２ガイド３８については、後述する。複数の第２押圧ユニット２９Ｋ、２９Ｙ、２９Ｍ、２９Ｃは、同じ構造を有する。そのため、以下の説明では、第２押圧ユニット２９Ｍについて説明し、複数の第２押圧ユニット２９Ｋ、２９Ｙ、２９Ｃについての説明を省略する。
【０１４４】
図８に示すように、第２押圧ユニット２９Ｍは、軸線方向において、第１壁２０に対して、第２収容フレーム３３の反対側に位置する。第２押圧ユニット２９Ｍは、軸線方向において、第４サイドフレーム３３Ｂに対して、筐体９１の反対側に位置する。第２押圧ユニット２９Ｍは、トナーボックス９Ｍが連結位置に位置する状態で、上下方向において供給部９０と回動軸３４との間に位置する。第２押圧ユニット２９Ｍは、第２ばね２５と、第２接触部３６とを備える。
【０１４５】
第２ばね２５は、トナーボックス９Ｍを連結位置から連結解除位置（図９参照）に向かって押圧する。第２ばね２５は、トナーボックス９Ｍが連結位置に位置する状態において、供給部９０とトナーボックス９Ｍの回動支点との間に位置する。
【０１４６】
第２接触部３６は、第１壁２０が有する第４穴２０Ｄを介して、第４サイドフレーム３３Ｂと接触する。第２接触部３６は、第２ばね２５によって、第４サイドフレーム３３Ｂに向かって押圧される。第２接触部３６は、円筒形状を有する。第２接触部３６は、軸線方向延びる。第２接触部３６は、第２ばね２５を収容する。
【０１４７】
３．７  第１リンク部材
第１リンク部材７は、カバー２Ｂの移動と、廃トナーボックス５に対するばね２３の押圧および押圧解除とをリンクさせる。第１リンク部材７は、カバー２Ｂが閉鎖位置にある状態において、廃トナーボックス５に対するばね２３の押圧を規制する。第１リンク部材７は、カバー２Ｂが閉鎖位置から開放位置に移動するときに、廃トナーボックス５に対するばね２３の押圧を許容する（図９参照）。そのため、カバー２Ｂを閉鎖位置から開放位置に移動させたときに、廃トナーボックス５を確実に第２位置に位置させることができる。
【０１４８】
また、第１リンク部材７は、カバー２Ｂの移動と、トナーボックス９Ｍに対する第２ばね２５の押圧および押圧解除とをリンクさせる。第１リンク部材７は、カバー２Ｂが閉鎖位置にある状態において、トナーボックス９Ｍに対する第２ばね２５の押圧を規制する。第１リンク部材７は、カバー２Ｂが閉鎖位置から開放位置に移動するときに、トナーボックス９Ｍに対する第２ばね２５の押圧を許容する（図９参照）。
【０１４９】
図７に示すように、第１リンク部材７は、第１部分７７と、第２部分７８と、接続部分７９と、第１ボス８０とを備える。
【０１５０】
３．７．１  第１部分
第１部分７７は、並び方向に延びる。第１部分７７は、軸線方向において、第１壁２０に対して、第１収容フレーム３１の反対側に位置する（図８参照）。第１部分７７は、ドロワ３が内側位置に位置する状態において、排出部４１に対して下方に位置する。第１部分７７は、複数の第１貫通口８２Ａおよび８２Ｂと、複数の第１カム８３Ａおよび８３Ｂ（図１３参照）を有する。
【０１５１】
複数の第１貫通口８２Ａおよび８２Ｂは、並び方向に互いに間隔を空けて位置する。複数の第１貫通口８２Ａおよび８２Ｂは、同じ構造を有する。そのため、以下の説明では、第１貫通口８２Ａについて説明し、第１貫通口８２Ｂについての説明を省略する。
【０１５２】
第１貫通口８２Ａは、第１押圧ユニット２８Ａの第１接触部３５を受け入れる。第１貫通口８２Ａは、並び方向に延びる。第１貫通口８２Ａは、並び方向において、一端と他端とを有する。第１接触部３５は、カバー２Ｂが閉鎖位置に位置する状態において、第１貫通口８２Ａの一端に位置する。第１接触部３５は、カバー２Ｂが開放位置に位置する状態において、第１貫通口８２Ａの他端に位置する（図１２参照）。
【０１５３】
図１３に示すように、複数の第１カム８３Ａおよび８３Ｂは、並び方向に互いに間隔を空けて位置する。複数の第１カム８３Ａおよび８３Ｂは、同じ構造を有する。そのため、以下の説明では、第１カム８３Ａについて説明し、第１カム８３Ｂについての説明を省略する。第１カム８３Ａは、第１部分７７に対して、第１壁２０の反対側に位置する（図８参照）。第１カム８３Ａは、第１貫通口８２Ａの一端を囲む。第１カム８３Ａは、第１部分７７における第１貫通口８２Ａの一端縁から、軸線方向に突出する。第１カム８３Ａは、傾斜面Ｓ１を有する。傾斜面Ｓ１は、軸線方向と交差するように傾斜する。
【０１５４】
図８に示すように、第１カム８３Ａは、カバー２Ｂが閉鎖位置に位置する状態において、第１接触部３５と接触する。これによって、第１接触部３５は、ばね２３の押圧力に抗して、軸線方向において、第１収容フレーム３１から離れる。そのため、廃トナーボックス５に対するばね２３の押圧が規制される。
【０１５５】
図９に示すように、第１カム８３Ａは、カバー２Ｂが開放位置に位置する状態において、第１接触部３５との接触が解消する。これによって、第１接触部３５は、ばね２３の押圧力により、第１収容フレーム３１と接触して第１収容フレーム３１を押圧する。そのため、廃トナーボックス５に対するばね２３の押圧の規制が解除される。そして、ばね２３は、廃トナーボックス５を押圧する。
【０１５６】
３．７．２  第２部分
図７に示すように、第２部分７８は、並び方向に延びる。第２部分７８は、軸線方向において、第１壁２０に対して第２収容フレーム３３の反対側に位置する（図８参照）。第２部分７８は、ドロワ３が内側位置に位置する状態において、排出部４１に対して第１部分７７の反対側に位置する。第２部分７８は、ドロワ３が内側位置に位置する状態で、排出部４１と受入部４３との間に位置する。第２部分７８は、複数の第２貫通口８４Ｋ、８４Ｙ、８４Ｍ、８４Ｃと、複数の第２カム８５Ｋ、８５Ｙ、８５Ｍ、８５Ｃ（図１３参照）とを有する。
【０１５７】
複数の第２貫通口８４Ｋ、８４Ｙ、８４Ｍ、８４Ｃは、並び方向に互いに間隔を空けて位置する。複数の第２貫通口８４Ｋ、８４Ｙ、８４Ｍ、８４Ｃは、同じ構造を有する。そのため、以下の説明では、第２貫通口８４Ｍについて説明し、第２貫通口８４Ｋ、８４Ｙ、８４Ｃについての説明を省略する。第２貫通口８４Ｍは、第２押圧ユニット２９Ｍの第２接触部３６を受け入れる。第２貫通口８４Ｍは、並び方向に延びる。第２貫通口８４Ｍは、並び方向において、一端と他端とを有する。第２接触部３６は、カバー２Ｂが閉鎖位置に位置する状態において、第２貫通口８４Ｍの一端に位置する。第２接触部３６は、カバー２Ｂが開放位置に位置する状態において、第２貫通口８４Ｍの他端に位置する（図１２参照）。
【０１５８】
図１３に示すように、複数の第２カム８５Ｋ、８５Ｙ、８５Ｍ、８５Ｃは、第２部分７８に対して、第１壁２０の反対側に位置する（図８参照）。複数の第２カム８５Ｋ、８５Ｙ、８５Ｍ、８５Ｃは、並び方向に互いに間隔を空けて位置する。複数の第２カム８５Ｋ、８５Ｙ、８５Ｍ、８５Ｃは、同じ構造を有する。そのため、以下の説明では、第２カム８５Ｍについて説明し、第２カム８５Ｋ、８５Ｙ、８５Ｃについての説明を省略する。
【０１５９】
第２カム８５Ｍは、第２貫通口８４Ｍの一端を囲む。第２カム８５Ｍは、第２部分７８における第２貫通口８４Ｍの一端縁から、軸線方向に突出する。第２カム８５Ｍは、傾斜面Ｓ２を有する。傾斜面Ｓ２は、軸線方向と交差するように傾斜する。
【０１６０】
図８に示すように、第２カム８５Ｍは、カバー２Ｂが閉鎖位置に位置する状態において、第２接触部３６と接触する。これによって、第２接触部３６は、第２ばね２５の押圧力に抗して、軸線方向において、第２収容フレーム３３から離れる。そのため、トナーボックス９Ｍに対する第２ばね２５の押圧が規制される。
【０１６１】
図９に示すように、第２カム８５Ｍは、カバー２Ｂが開放位置に位置する状態において、第２接触部３６との接触が解消する。これによって、第２接触部３６は、第２ばね２５の押圧力により、第２収容フレーム３３と接触して第２収容フレーム３３を押圧する。そのため、トナーボックス９Ｍに対する第２ばね２５の押圧の規制が解除される。そして、第２ばね２５は、トナーボックス９Ｍを押圧する。
【０１６２】
３．７．３  接続部分およびボス
図１３に示すように、接続部分７９は、第１部分７７と第２部分７８とを接続する。接続部分７９は、上下方向に延びる。接続部分７９は、カバー２Ｂに対して並び方向に間隔を空けて位置する。接続部分７９は、受入穴８６を有する。受入穴８６は、第２リンク部材８が有する第２ボス８９を受け入れる。第２ボス８９については、後述する。
【０１６３】
第１ボス８０は、軸線方向に延びる。第１ボス８０は、接続部分７９に固定される。
【０１６４】
３．７．４  連結部
連結部８１は、カバー２Ｂと第１リンク部材７とを連結する。連結部８１は、軸線方向において接続部分７９と並ぶ。連結部８１は、カバー２Ｂの回動支点を中心とする円弧形状を有する。連結部８１は、カバー２Ｂに固定される。連結部８１は、長穴８７を有する。長穴８７は、第１ボス８０を受け入れる。長穴８７は、カバー２Ｂの回動方向に延びる。長穴８７は、長穴８７の延びる方向において、一端８７Ａと他端８７Ｂとを有する。長穴８７の他端８７Ｂは、長穴８７の延びる方向において、長穴８７の一端８７Ａに対してカバー２Ｂの反対側に位置する。第１ボス８０は、カバー２Ｂが閉鎖位置に位置する状態において、長穴８７の一端８７Ａに位置する。第１ボス８０は、カバー２Ｂが開放位置に位置する状態において、長穴８７の他端８７Ｂに位置する（図１２参照）。
【０１６５】
３．８  第１ガイドおよび第２ガイド
図７に示すように、第１ガイド３７は、カバー２Ｂが閉鎖位置と開放位置との間を移動するときに、第１部分７７を案内する。第１ガイド３７は、並び方向に延びる。第１ガイド３７は、第１部分７７をスライド移動可能に収容する。第１ガイド３７は、第１壁２０に固定される。第２ガイド３８は、カバー２Ｂが閉鎖位置と開放位置との間を移動するときに、第２部分７８を案内する。第２ガイド３８は、並び方向に延びる。第２ガイド３８は、第２部分７８をスライド移動可能に収容する。第２ガイド３８は、第１ガイド３７に対して上方に間隔を空けて位置する。
【０１６６】
３．８  第２リンク部材および第３ガイド
第２リンク部材８は、カバー２Ｂの移動と、ドロワ３の移動とをリンクさせる。ドロワ３は、内側位置にある状態において、接触位置（図１参照）と、離間位置（図１２参照）との間を移動可能である。ドロワ３は、接触位置に位置する状態において、複数のカートリッジ４Ｋ、４Ｙ、４Ｍ、４Ｃの感光ドラム４０がベルトユニット６と接触する（図１参照）。ドロワ３は、離間位置に位置する状態において、複数のカートリッジ４の感光ドラム４０がベルトユニット６から離間する（図１２参照）。第２リンク部材８は、カバー２Ｂが閉鎖位置にある状態において、ドロワ３を接触位置に位置させる（図１参照）。第２リンク部材８は、カバー２Ｂが閉鎖位置から開放位置に移動するときに、ドロワ３を接触位置から離間位置に移動させる（図１２参照）。そのため、カバー２Ｂを閉鎖位置から開放位置に移動させたときに、ドロワ３を確実にベルトユニット６から離間させることができる。その結果、ドロワ３の円滑な移動を確保できる。
【０１６７】
図１４に示すように、第２リンク部材８は、上下方向において、第１部分７７と第２部分７８との間に位置する（図７参照）。第２リンク部材８は、リンク本体８８と、第２ボス８９とを備える。
【０１６８】
３．８．１  リンク本体８８
リンク本体８８は、並び方向に延びる。リンク本体８８は、軸線方向において、第１リンク部材７に対して、連結部８１の反対側に位置する。リンク本体８８は、ドロワ３が内側位置に位置する状態において、ドロワ３の下方に位置する（図８参照）。リンク本体８８の上面は、ドロワ３が内側位置に位置する状態において、ドロワ３と接触する（図８参照）。リンク本体８８の下面は、第１面８８Ａと、第２面８８Ｂと、第３面８８Ｃと、第４面８８Ｄと、第５面８８Ｅとを有する。
【０１６９】
第１面８８Ａは、リンク本体８８の下面において、カバー２Ｂ側の端部に位置する。第１面８８Ａは、並び方向に沿って延びる。第２面８８Ｂは、第１面８８Ａに対して、カバー２Ｂの反対側に位置する。第２面８８Ｂは、上下方向と交差するように傾斜する。第２面８８Ｂは、並び方向において、一端と他端とを有する。第２面８８Ｂの一端は、第１面８８Ａと連続する。第２面８８Ｂの他端は、第２面８８Ｂの一端よりも下方に位置する。第２面８８Ｂの他端は、第３面８８Ｃと連続する。
【０１７０】
第３面８８Ｃは、第２面８８Ｂに対して、カバー２Ｂの反対側に位置する。第３面８８Ｃは、並び方向に沿って延びる。第４面８８Ｄは、第３面８８Ｃに対して、カバー２Ｂの反対側に位置する。第４面８８Ｄは、上下方向と交差するように傾斜する。第４面８８Ｄは、並び方向において、一端と他端とを有する。第４面８８Ｄの一端は、第３面８８Ｃと連続する。第４面８８Ｄの他端は、第４面８８Ｄの一端よりも下方に位置する。第４面８８Ｄの他端は、第５面８８Ｅと連続する。第５面８８Ｅは、第４面８８Ｄに対して、カバー２Ｂの反対側に位置する。第５面８８Ｅは、並び方向に沿って延びる。
【０１７１】
３．８．２  第２ボス
また、第１リンク部材７と第２リンク部材８とは、カバー２Ｂが閉鎖位置から開放位置に移動したときに、まず、第１リンク部材７が廃トナーボックス５に対するばね２３の押圧を許容した後、第２リンク部材８がドロワ３を接触位置から離間位置に移動させるように連結される。そのため、カバー２Ｂが閉鎖位置から開放位置に移動したときに、まず、廃トナーボックス５を第１位置に位置させて、連結部５０Ｍと排出部４１との連結を解除させることができ、その後、ドロワ３を接触位置から離間位置に移動させることができる。
【０１７２】
詳しくは、第２ボス８９が、受入穴８６に挿通される。これによって、第２リンク部材８が、第１リンク部材７と連結される。第２ボス８９は、リンク本体８８に固定される。第２ボス８９は、軸線方向に延びる。
【０１７３】
３．９  第３ガイド
第３ガイド３９は、カバー２Ｂが閉鎖位置と開放位置との間を移動するときに、第２リンク部材８を案内する。第３ガイド３９は、第２リンク部材８に対して、下方に位置する。
【０１７４】
第３ガイド３９は、並び方向に延びる。第３ガイド３９は、装置本体２に固定される。第３ガイド３９の上面は、リンク本体８８の下面と接触する。第３ガイド３９の上面は、第１ガイド面３９Ａと、第２ガイド面３９Ｂと、第３ガイド面３９Ｃと、第４ガイド面３９Ｄと、第５ガイド面３９Ｅとを有する。
【０１７５】
第１ガイド面３９Ａは、第３ガイド３９の上面において、カバー２Ｂ側の端部に位置する。第１ガイド面３９Ａは、並び方向に沿って延びる。第１ガイド面３９Ａは、カバー２Ｂが閉鎖位置に位置する状態において、第１面８８Ａと接触する。第１ガイド面３９Ａは、カバー２Ｂが開放位置に位置する状態において、第３面８８Ｃと接触する（図１２参照）。
【０１７６】
第２ガイド面３９Ｂは、第１ガイド面３９Ａに対して、カバー２Ｂの反対側に位置する。第２ガイド面３９Ｂは、上下方向と交差するように傾斜する。第２ガイド面３９Ｂは、並び方向において、一端と他端とを有する。第２ガイド面３９Ｂの一端は、第１ガイド面３９Ａと連続する。第２ガイド面３９Ｂの他端は、第２ガイド面３９Ｂの一端よりも下方に位置する。第２ガイド面３９Ｂの他端は、第３ガイド面３９Ｃと連続する。第２ガイド面３９Ｂは、カバー２Ｂが閉鎖位置に位置する状態において、並び方向に第２面８８Ｂと向かい合う。第２ガイド面３９Ｂは、カバー２Ｂが閉鎖位置と開放位置との間を移動するときに、第２面８８Ｂと接触する。
【０１７７】
第３ガイド面３９Ｃは、第２ガイド面３９Ｂに対して、カバー２Ｂの反対側に位置する。第３ガイド面３９Ｃは、並び方向に沿って延びる。第３ガイド面３９Ｃは、カバー２Ｂが閉鎖位置に位置する状態において、第３面８８Ｃと接触する。第３ガイド面３９Ｃは、カバー２Ｂが開放位置に位置する状態において、第５面８８Ｅと接触する（図１２参照）。
【０１７８】
第４ガイド面３９Ｄは、第３ガイド面３９Ｃに対して、カバー２Ｂの反対側に位置する。第４ガイド面３９Ｄは、上下方向と交差するように傾斜する。第４ガイド面３９Ｄは、並び方向において、一端と他端とを有する。第４ガイド面３９Ｄの一端は、第３ガイド面３９Ｃと連続する。第４ガイド面３９Ｄの他端は、第４ガイド面３９Ｄの一端よりも下方に位置する。第４ガイド面３９Ｄの他端は、第５ガイド面３９Ｅと連続する。第４ガイド面３９Ｄは、カバー２Ｂが閉鎖位置に位置する状態において、並び方向に第４面８８Ｄと向かい合う。第４ガイド面３９Ｄは、カバー２Ｂが閉鎖位置と開放位置との間を移動するときに、第４面８８Ｄと接触する。
【０１７９】
第５ガイド面３９Ｅは、第４ガイド面３９Ｄに対して、カバー２Ｂの反対側に位置する。第５ガイド面３９Ｅは、並び方向に沿って延びる。第５ガイド面３９Ｅは、カバー２Ｂが閉鎖位置に位置する状態において、第５面８８Ｅと接触する。
【０１８０】
４．廃トナーボックス、トナーボックスおよびドロワの動作
次に、図２、図９〜図１０Ｂおよび図１２を参照して、廃トナーボックス５、トナーボックス９Ｍおよびドロワ３の動作について説明する。
【０１８１】
図１２に示すように、カバー２Ｂが閉鎖位置から開放位置に移動すると、長穴８７の他端８７Ｂが第１ボス８０と接触する。すると、第１リンク部材７が、並び方向において、開口２Ａに向かって移動するとともに、第２リンク部材８が並び方向において、開口２Ａに向かって移動する。
【０１８２】
そして、図９に示すように、まず、第１リンク部材７の移動により、第１接触部３５と第１カム８３Ａとの接触が解消する。すると、第１接触部３５は、ばね２３の押圧力により、第１収容フレーム３１と接触して第１収容フレーム３１を押圧する。つまり、第１リンク部材７は、廃トナーボックス５に対するばね２３の押圧を許容する。これによって、廃トナーボックス５は、第１位置から第２位置に移動する。
【０１８３】
このとき、第１リンク部材７の移動により、第２接触部３６と第２カム８５Ｍとの接触が解消する。すると、第２接触部３６は、第２ばね２５の押圧力により、第２収容フレーム３３と接触して第２収容フレーム３３を押圧する。これによって、トナーボックス９Ｍは、連結位置から連結解除位置に移動する。
【０１８４】
次いで、図１２に示すように、第２リンク部材８の移動により、第３面８８Ｃが第１ガイド面３９Ａと接触するとともに、第５面８８Ｅが第３ガイド面３９Ｃと接触する。これにより、第２リンク部材８が上方に移動し、ドロワ３が接触位置から離間位置に移動する。
【０１８５】
その後、図２に示すように、複数のカートリッジ４Ｋ、４Ｙ、４Ｍ、４Ｃを支持するドロワ３が、内側位置から外側位置に移動すると、ユーザは、ドロワ３に対して、複数のカートリッジ４Ｋ、４Ｙ、４Ｍ、４Ｃを着脱できる。
【０１８６】
また、図１０Ａに示すように、廃トナーボックス５を装置本体２から離脱させるには、ユーザは、第１収容フレーム３１を回動させて、廃トナーボックス５を第３位置に位置させる。これにより、ユーザは、第１収容フレーム３１に対して、廃トナーボックス５を着脱できる。なお、廃トナーボックス５が第３位置に位置する状態において、トナーボックス９Ｍは、連結位置に位置してもよく、連結解除位置に位置してもよい。
【０１８７】
また、図１０Ｂに示すように、トナーボックス９Ｍを装置本体２から離脱させるには、ユーザは、第２収容フレーム３３を回動させて、トナーボックス９Ｍを離脱可能位置に位置させる。これにより、ユーザは、第２収容フレーム３３に対して、トナーボックス９Ｍを着脱できる。なお、トナーボックス９Ｍが離脱可能位置に位置する状態において、廃トナーボックス５は、第１位置に位置してもよく、第２位置に位置してもよい。
【０１８８】
５．作用効果
図８に示すように、廃トナーボックス５が第１位置にある状態において、複数の連結部５０Ｋ、５０Ｙ、５０Ｍ、５０Ｃは、複数の排出部４１から、廃トナーを受け入れることができる（図７参照）。
【０１８９】
そのため、ドロワ３が、廃トナーを複数の排出部４１から集約して廃トナーボックス５に搬送する部材を備えなくても、複数の感光ドラム４０からの廃トナーを、廃トナーボックス５に収容できる。
【０１９０】
また、図９に示すように、廃トナーボックス５が第２位置にある状態において、複数の連結部５０Ｋ、５０Ｙ、５０Ｍ、５０Ｃと複数の排出部４１との連結が解除される（図７参照）。その結果、複数の感光ドラム４０からの廃トナーを廃トナーボックス５に収容できながら、ドロワ３の円滑な移動を確保できる。
【符号の説明】
【０１９１】
１      画像形成装置
２      装置本体
２Ａ    開口
２Ｂ    カバー
３      ドロワ
４      カートリッジ
５      廃トナーボックス
６      ベルトユニット
７      第１リンク部材
８      第２リンク部材
９      トナーボックス
２０    第１壁
２１    第２壁
２１Ｂ  可動壁
２３    ばね
２４    弾性部材
２４Ａ  連通口
４０    感光ドラム
４１    排出部
４２    排出壁
４２Ａ  排出口
４３    受入部
４４    現像ユニット
４５    現像ローラ
４６    フレーム
５０    連結部
５１    受入壁
５１Ａ  第１端部
５１Ｂ  第２端部
５５    受入口
７０    弾性部材
９０    供給部
９１    筐体
９１Ａ  第１収容室
９１Ｂ  第２収容室
９２    仕切壁
９２Ａ  連通口
【図１】
2020008726.tif 000003
【図２】
2020008726.tif 000004
【図３】
2020008726.tif 000005
【図４】
2020008726.tif 000006
【図５】
2020008726.tif 000007
【図６】
2020008726.tif 000008
【図７】
2020008726.tif 000009
【図８】
2020008726.tif 000010
【図９】
2020008726.tif 000011
【図１０】
2020008726.tif 000012
【図１１】
2020008726.tif 000013
【図１２】
2020008726.tif 000014
【図１３】
2020008726.tif 000015
【図１４】
2020008726.tif 000016